(57)【特許請求の範囲】
【請求項１】
魚釣りに用いるルアーであって、
ルアー本体と、
前記ルアー本体の腹部に連結された第１釣針と、
前記ルアー本体の尾部に連結された第２釣針と、
前記第１釣針と前記第２釣針との間であって前記ルアー本体の下表面に前記ルアー本体の長手方向に伸び尾部側ほど上方に傾いて設けられたレール部と、
前記レール部に案内され前記レール部上を長手方向に移動自在な錘部と、
を備え、
前記レール部は前記ルアー本体の下表面より一定の距離を隔てつつ前記ルアー本体の下表面に沿って長手方向に張られた線材であり、
前記錘部は貫通孔を有し前記貫通孔に前記線材が挿通している、
ルアー。
【請求項２】
前記レール部の前側端付近に前記錘部を保持するための保持部材をさらに備えた、請求項１に記載のルアー。
【請求項３】
前記ルアー本体は下表面に長手方向に伸びて凹入している窪み部を有し、前記レール部は前記窪み部内において前記ルアー本体の下表面より一定の距離を隔てつつ配置されている、請求項１または２に記載のルアー。
【請求項４】
前記錘部は金属粉を混入したゴム樹脂からなる、請求項１〜３の何れかに記載のルアー。
【発明の詳細な説明】
【０００１】
【発明の属する技術分野】
本発明は魚釣りに用いるルアー、特に、長手方向に錘が移動し重心を変化させることが可能な重心移動ルアーに関する。
【０００２】
【従来の技術】
従来のルアーには錘が長手方向に移動して重心位置を変化させることが可能なルアーがある。この種のルアーは、外形を魚に似せて形成され中空部を有するルアー本体と、ルアー本体の腹部付近に前記中空部の一部を区分けして形成された錘収納部と、ルアー本体の頭部付近に設けられ釣糸を係止可能な釣糸係止部と、ルアー本体の尾部付近及び腹部付近に連結されたフック（釣針）とを有している。そして、錘収納部には錘が収納されている。
【０００３】
この種のルアーでは、釣糸係止部に釣糸を係止した状態で水中にキャスティングされる。キャスティング後はルアー本体腹部付近の錘収納部に配置された錘が腹部付近にルアーの重心位置を定めて安定した泳動姿勢をとり得る。釣人がリトリーブすると、ルアーは水中を安定した状態で泳動する。
【０００４】
【発明が解決しようとする課題】
従来のこのような重心移動型ルアーは、錘をルアー本体内部に収納するので、内部が中空のルアー本体を有するタイプのルアーにしか適応されてこなかった。しかし、中実のルアー本体を有するルアーであっても、状況に応じて重心を移動させて用いる方が便利であることには相違ない。
【０００５】
また、重心位置はなるべく下方に存在する方がルアーの水中での泳動姿勢は安定するが、従来のルアーのようにルアー本体内に錘を配置するタイプでは、その重心位置にも限界がある。
【０００６】
本発明の課題は、中実のルアー本体においても重心移動を可能とし、安定した泳動姿勢を採り得るルアーを提供することにある。
【０００７】
【課題を解決するための手段】
発明１にかかるルアーは、魚釣りに用いるルアーであって、ルアー本体と、ルアー本体の腹部に連結された第１釣針と、ルアー本体の尾部に連結された第２釣針と、第１釣針と第２釣針との間であってルアー本体の下表面にルアー本体の長手方向に伸びつつ尾部側ほど上側に傾いて設けられたレール部と、レール部に案内されレール部上を長手方向に移動自在な錘部とを備えている。また、レール部はルアー本体の下表面より一定の距離を隔てつつルアー本体の下表面に沿って長手方向に張られた線材であり、錘部は貫通孔を有しこの貫通孔に線材が挿通している。
【０００８】
このルアーでは、錘部がルアー本体の下表面に設けられるレール部上を移動するものであり、中実のルアー本体であってもこのレール部を別途取り付けることで錘部を配置可能である。また、このルアーでは、錘部を挿通する線材がルアー本体の下表面に長手方向に張られており、この線材上を錘部が長手方向に移動する。従って、錘部がルアー本体外に存在し重心位置をより低い位置に設定している。
【０００９】
使用時には、ルアー本体の頭部に釣糸を係止して水中にキャスティングされる。このキャスティングの際にはルアー本体の尾部側を飛翔方向として飛翔し、錘部がその勢いによって飛翔方向（尾部側：後側）に向かってレール部上を移動し、ルアー本体の重心位置を尾部側に移動させて、ルアー本体の飛翔姿勢を安定させる。一方、着水後においては、錘部はレール部の傾きによりレール部上を頭部側（前側）に移動し、重心を頭部側に移動させて泳動姿勢を安定させる。
【００１０】
なお、錘部が外部に露出する結果、釣り人が必要に応じてその場で錘部を削作したり切り取ったりすることによって、錘部の重さを調整することも可能である。
【００１１】
発明２にかかるルアーは、発明１のルアーであって、レール部の前側端部に錘部を保持するための保持部材をさらに備えている。
【００１２】
このルアーでは、着水後に錘部がレール部の前側に移動した際に保持部材がその錘部を保持してレール部上を長手方向後方に移動するのを抑える。これにより、ルアーの泳動中には不用意に錘部が移動することなく、安定した状態でルアーが泳動する。
【００１３】
発明３にかかるルアーは、発明１または２のルアーであって、ルアー本体は下表面に長手方向に伸びて凹入している窪み部を有し、レール部は窪み部内おいてルアー本体の下表面より一定の距離を隔てつつ配置されている。
【００１４】
このルアーでは、レール部が窪み部内に収納されており、ルアーの泳動中にレール部上の錘部が流水を直接受けることが少なくなる。これにより、泳動中の不用意な錘部の長手方向後方への移動や、不要な流水抵抗の増大を防止し得る。
【００１５】
発明４にかかるルアーは、発明１〜３の何れかのルアーであって、錘部は金属粉を混入したゴム樹脂からなる。
【００１６】
このルアーでは、錘部が金属粉を混入したゴム樹脂からなり、錘部とレール部との不要な接触音や、複数の錘部を設けた場合の錘部同士の衝突音を防止できる。
【００１７】
【発明の実施の形態】
［第１実施形態］
以下、本発明の第１実施形態について図面を参照しつつ説明する。
【００１８】
本発明の第１実施形態を採用したルアーは、図１に示すように、外形を魚に似せて形成した中実のルアー本体１を有する。このルアー本体１は、左右一対の半割部材を貼り合わせて形成されたり、いわゆる射出成形によって形成される合成樹脂製部材であり、例えば、ABS樹脂やポリウレタン等の発泡樹脂等からなる。もっとも、ルアー本体１を金属製とすることも当然可能である。そして、表面には魚の外形に似せて鱗模様や目など様々な模様が塗装される。
【００１９】
このルアー本体１には、頭部側端部に設けられた釣糸を係止するための釣糸係止部２と、頭部下面に斜め下方に向けて突出したリップ部３と、腹部及び尾部付近にそれぞれ設けられた釣針を連結するためのアイ４，５とを有する。釣針係止部２，アイ４，５は、例えば、ルアー本体１にねじ込み等によって挿入され固定される。そして、アイ４，５にはそれぞれスプリットリング６，７を介して、釣針８，９が連結される。
【００２０】
このルアー本体１の下面側の腹部付近、詳しくは、アイ４とアイ５との間の表面には、ルアー本体１の下表面から一定の距離を隔てつつルアー本体１の外形線に沿って尾部側ほど上方に傾いて長手方向に伸びる金属線１０が張られている。金属線１０の両端は折り曲げられルアー本体１に挿入され固定されている。この金属線１０の頭部側部分は下方に一度折り曲げられたフック部１０ａとなっており、後述の錘部１１がこの部分にはまって保持されるようになっている。
【００２１】
金属線１０には錘部１１が長手方向に移動自在に配置される。具体的には、錘部１１には貫通孔が設けられており、この貫通孔を金属線１０が挿通した状態で、錘部１１は金属線１０上に配置されている。この錘部１１は鉛やタングステン等の金属粉末をゴム樹脂に混入して形成したものである。この錘部１１は金属粉の混入によってその比重が８〜１７程度に高められている。なお、この実施形態では、錘部１１は一つのみ用いているが、必要に応じて複数の錘部１１を用いることも可能である。
【００２２】
このように構成されたルアーは、釣糸係止部２に釣糸を係止して水中にキャスティングされる。このキャスティングの際にはルアー本体の尾部側を飛翔方向として飛翔し、その勢いにより錘部１１が尾部側に向かって金属線１０上を移動し、ルアー本体１の重心位置を尾部側に移動させて、ルアー本体１の飛翔姿勢を安定させる。これによりより遠くの狙ったポイントにルアーを投げ入れ易くなる。
【００２３】
一方、着水後においては、錘部１１は金属線１０の傾きにより頭部側に移動してフック部１０ａ内に収まる。そして、重心位置を頭部側に移動させて泳動姿勢を安定させる。特に、図２に示すように、上下方向の重心位置がルアー本体１よりももっと下方に存在することになり、ルアー本体１の左右の揺れに対しても重心位置を十分に安定させる。
【００２４】
なお、この状態では泳動中に流水等によって錘部１１が振動することも考えられるが、フック部１０ａ内に収まっている錘部１１は不用意に尾部側に移動してしまうこともない。また、金属線１０やルアー本体１自体と錘部１１が接触することも考えられるが、錘部１１は金属粉を混入した合成樹脂からなり、不要な衝突音を発生しにくく、魚に不要な警戒心を与えない。また、ルアー自体を傷付けてしまうことも抑えられる。
【００２５】
［第２実施形態］
以下、本発明の第２実施形態について図面を参照しつつ説明する。
【００２６】
図３に示すように、本発明の第２実施形態を採用したルアーは、第１実施形態と同様に、左右半割の一対の部材からなる中実のルアー本体２１を有し、釣糸係止部２２、リップ部２３、アイ２４，２５とを有している。
【００２７】
このルアー本体２１の腹部付近は長手方向中央付近から尾部にかけて凹入する窪み部２１ａが形成されている（図４参照）。この窪み部２１ａはおよそ後述の錘部１１がその一部を露出させつつ収納可能な程度の空間とするのが好ましい。また、この窪み部２１ａはルアー本体２１に即して形成されており、尾部側ほど上方に傾いた状態となる。また、この窪み部２１ａの前側のルアー本体１下表面には下方側に張り出して設けられる水よけ１３が形成されている。
【００２８】
この窪み部２１ａ内には、長手方向に伸びる金属線１０が張られており、その両端は折り曲げられルアー本体１に挿入され固定されている。また、窪み部２１ａの頭部側（前側）端部には磁石１２が埋め込まれて固定されている。
【００２９】
この金属線１０には、第１実施形態と同様に、錘部１１が長手方向に移動自在に配置される。錘部１１はおよその部分が窪み部２１ａ内に収納されるような状態である。本実施形態においては錘部１１の形状を球状体としたがこれに限定されるものではなく、任意の形状を採用可能である。
【００３０】
このように構成されたルアーは、第１実施形態と同様に、キャスティング時には錘部１１が窪み部２１ａ内の金属線１０を尾部側に移動し、重心位置を尾部側に移動させる。そして、着水後には、錘部１１は頭部側に移動し、窪み部２１ａの頭部側に埋め込まれている磁石１２によって保持され、重心位置を頭部側に移動させて泳動姿勢を安定させる。
【００３１】
また、水よけ１３を窪み部２１ａの前方に設けることで、錘部１１が流水により不当に移動してしまうことも十分に防止できる。
【００３２】
［他の実施形態］
（ａ）上記実施形態においては、ルアー本体が中実の場合を例示しているが、中空のルアー本体を有するルアーにおいても、同様の構造を採用することも可能である。
（ｂ）レール部と錘部とに関しては、上記実施形態の他にも様々な構成が考えられる。例えば、図５に示すように、窪み部２１ａの出口側付近に軸方向に伸びる一対の金属線１４を配置し、この金属線１４によって錘部１１を支えて長手方向に滑動可能としてもよい。また、図６に示すように、窪み部２１ａの出口側付近に軸方向に伸びる金属線１５を配置し、この金属線１５に沿ったレール溝を有する錘部１１を用意し、金属線１５上を滑動させてもよい。
（ｃ）錘部１１について、上記実施形態では合成樹脂に金属粉末を混入した物を用いているが、普通の金属、例えば、鉛，鉄，タングステン等またはこれらの合金を用いることも可能である。
（ｄ）さらに、図７に示すように、ルアー本体１の下側面に左右に一対の金属線を張って、錘部をそれぞれに配置した２本線タイプのものとしてもよい。
【００３３】
【発明の効果】
本発明に係るルアーは、キャスティング時と水中での泳動時においてそれぞれ重心位置を移動させることができると共に、安定した泳動姿勢を保つことができる。
【図面の簡単な説明】
【図１】  本発明の第１実施形態を採用したルアーを示した図。
【図２】  図１のII−II断面図。
【図３】  本発明の第２実施形態を採用したルアーを示した図。
【図４】  図３のIV−IV断面図。
【図５】  本発明の他の実施形態を採用したルアーの図４に相当する図。
【図６】  本発明の他の実施形態を採用したルアーの図４に相当する図。
【図７】  本発明の他の実施形態を採用したルアーの図４に相当する図。
【符号の説明】
１，２１  ルアー本体
１０  金属線
１１  錘部
２１ａ  窪み部
【図１】
0004754722.tif 000002
【図２】
0004754722.tif 000003
【図３】
0004754722.tif 000004
【図４】
0004754722.tif 000005
【図５】
0004754722.tif 000006
【図６】
0004754722.tif 000007
【図７】
0004754722.tif 000008